(57)【要約】【課題】  撮影モードに設定されている場合でもスルー画像とサムネイル画像とを即座に比較できる撮影装置を提供する。【解決手段】  モード切り替えスイッチ１７を静止画撮影モードに切り替える。液晶パネル１３には主表示部と第１、第２、第３副表示部とが予め設定されている。主表示部には被写体のスルー画像が表示され、それぞれの副表示部にはサムネイル画像が表示される。スルー画像とサムネイル画像とは同時に表示される。操作レバー２０を上下方向に操作することに応じて、液晶パネル１３に表示されるサムネイル画像は切り替わる。操作レバー２０を上が操作されると第３副表示部に新しくサムネイル画像が表示され、操作レバー２０が下に操作されると第１副表示部に新しくサムネイル画像が表示される。【選択図】        図２
2005277631.tif 000002
【特許請求の範囲】
【請求項１】
ＣＣＤイメージセンサから出力される画像信号を基にして画像データを形成し、形成された画像データを記録メディアに記録する撮影装置において、
前記ＣＣＤイメージセンサからの画像信号を逐次処理して所定のフレームレートで被写体の画像を表示するスルー画像と、前記記録メディアに記録された画像データを圧縮処理したサムネイル画像とのうちの少なくともどちらか一方の表示が可能な画像表示手段を備えており、
スルー画像もしくはサムネイル画像を前記画像表示手段に表示する第１の表示モードと、スルー画像とサムネイル画像とを共に前記画像表示手段に表示する第２の表示モードとを切り替えるために操作される操作手段と、
前記操作手段の操作によって、前記第１の表示モードに設定された場合には前記画像表示手段にスルー画像もしくはサムネイル画像を表示させ、前記第２の表示モードに設定された場合には前記画像表示手段にスルー画像とサムネイル画像とを共に表示させる表示制御手段と、を設けたことを特徴とする撮影装置。
【請求項２】
前記画像表示手段はスルー画像を表示するスルー画像表示パネルと、サムネイル画像を表示するサムネイル画像表示パネルとを有しており、前記操作手段の操作に応じて前記スルー画像表示パネルと前記サムネイル画像表示パネルとをオン／オフ制御する駆動制御手段を設けたことを特徴とする請求項１に記載の撮影装置。
【発明の詳細な説明】
【技術分野】
【０００１】
本発明は、デジタルカメラ等の撮影装置に関するものである。
【背景技術】
【０００２】
近年、デジタルカメラ等の撮影装置が急速に普及している。撮影装置には画像信号を出力する撮像素子が備えられ、撮像素子から出力される画像信号を基に被写体の画像データを形成し、形成された画像データは撮影装置に装着された記録メディアに記録される。撮影装置には、被写体を撮影するカメラモードと、記録メディアに記録された画像データをデジタルカメラに備えられた表示画面に表示する再生モード等とを切り替えるスイッチが設けられ、ユーザーはこのスイッチを切り替えて目的に応じて撮影装置を使用していた。
【０００３】
撮影装置を撮影モードに設定すると、シャッタボタンの押圧操作に応じて被写体の画像データが形成されてこの画像データが記録メディアに記録される。このとき、撮影装置に備えられた液晶パネルがＯＮされている場合には液晶パネルに、撮像素子から出力される画像信号を順次処理して所定のフレームレートで被写体の画像を表示するスルー画像が表示され、ユーザーはこのスルー画像を見ながら被写体を撮影することで、好みの画像を取得していた。撮影装置を再生モードに設定すると、液晶パネルには撮影モードにおいて取得した画像データが圧縮処理されたサムネイル画像が液晶パネルに表示入力され、サムネイル画像を見ることでユーザーは過去の撮影で取得した画像を確認していた。ところで、被写体の撮影を行なう際には撮影装置を撮影モードにしなければならず、このため撮影モードにおいては過去に取得した画像を確認することがでず、記録メディアに既に記録した画像を確認するためには撮影装置を再生モードにしなければならなかった。このような事情に鑑みて、特許文献１では、デジタルカメラに設けられた表示画面に被写体を撮影する直前のプレビュー画像とサムネイル画像とを表示する発明が記載されている。
【０００４】
【特許文献１】特開平１０−２４３２７３号公報
【発明の開示】
【発明が解決しようとする課題】
【０００５】
ところで、撮影装置に備えられた画像表示手段に、常時、スルー画像とサムネイル画像とを表示した場合、撮影モードにおいてスルー画像とサムネイル画像とを即座に比較することができるが、ユーザーがスルー画像のみを観察したいと所望した場合ではサムネイル画像の表示は無益となり、サムネイル画像のみを観察したいと望んだ場合ではスルー画像の表示が無益となる。さらに、画像表示部にユーザの望まない画像を表示するために消費された駆動電力によって、電池の使用時間を短縮してしまうことも考えられる。
【０００６】
本発明は、上記の事情に鑑みてなされたものであり、その目的は、ユーザーの操作に応じて、スルー画像とサムネイル画像とをより自在に表示する撮影装置を提供することにある。
【課題を解決するための手段】
【０００７】
上記目的を達成するために、本発明の撮影装置では、ＣＣＤイメージセンサから出力される画像信号を基にして画像データを形成し、形成された画像データを記録メディアに記録する撮影装置において、ＣＣＤイメージセンサからの画像信号を次々に処理して所定のフレームレートで被写体の画像を表示するスルー画像と、記録メディアに記録された画像データを圧縮処理したサムネイル画像とのうちの少なくともどちらか一方の表示が可能な画像表示手段を備える。さらに、スルー画像もしくはサムネイル画像を画像表示手段に表示する第１の表示モードと、スルー画像とサムネイル画像とを共に表示する第２の表示モードとを切り替える操作を行う操作手段と、操作手段の操作によって、第１の表示モードに設定された場合には画像表示手段にスルー画像もしくはサムネイル画像を表示させ、第２の表示モードに設定された場合には画像表示手段にスルー画像とサムネイル画像とを共に表示させる表示制御手段とを設けたことを特徴とする。
【０００８】
また、画像表示手段はスルー画像を表示するスルー画像表示パネルと、サムネイル画像を表示するサムネイル画像表示パネルとを有しており、操作手段の操作に応じてスルー画像表示パネルとサムネイル画像表示パネルとをオン／オフ制御する駆動制御手段を設けたことを特徴とする。
【発明の効果】
【０００９】
本発明の撮影装置によれば、ＣＣＤイメージセンサからの画像信号を逐次処理して所定のフレームレートで被写体の画像を表示するスルー画像と記録メディアに記録された画像データを圧縮処理したサムネイル画像とのうちの少なくともどちらか一方の表示が可能な画像表示手段を備え、スルー画像もしくはサムネイル画像を画像表示手段に表示する第１の表示モードと、スルー画像とサムネイル画像とを共に表示する第２の表示モードとを切り替える操作を行う操作手段と、操作手段の操作によって、第１の表示モードに設定された場合には画像表示手段にスルー画像もしくはサムネイル画像を表示させ、第２の表示モードに設定されたことに応じて、画像表示手段にスルー画像とサムネイル画像とを共に表示させる表示制御手段とを設けたことにより、スルー画像もしくはサムネイル画像を画像表示手段に表示する第１の表示モードと、スルー画像とともにサムネイル画像を画像表示手段に表示する第２の表示モードとを切り替えることができ、ユーザーの操作に応じてスルー画像とサムネイル画像とをより自在に表示する撮影装置を提供することができる。
【００１０】
また、画像表示手段はスルー画像を表示するスルー画像表示パネルと、サムネイル画像を表示するサムネイル画像表示パネルとを有しており、操作手段の操作に応じてスルー画像表示パネルとサムネイル画像表示パネルとをオン／オフ制御する駆動制御手段を設けたことにより、操作手段によって第１のモードに設定された場合に駆動制御手段は、スルー画像がスルー画像表示パネルに表示される際にはサムネイル画像表示パネルをオフし、サムネイル画像がサムネイル画像表示パネルに表示される際にはスルー画像表示パネルをオフすることができ、操作手段の操作に応じてスルー画像表示パネルとサムネイル画像表示パネルの駆動をオン／オフ制御することで消費電力の低減が可能な撮影装置を提供することができる。
【発明を実施するための最良の形態】
【００１１】
図１に本発明のデジタルカメラの外観を示す。デジタルカメラ２の前面には、レンズ鏡筒４に保持された撮影レンズ５が露出し、ストロボ光を投光するストロボ発光部７、及び被写体と対面するファインダ対物窓８が設けられている。デジタルカメラ２の上面にはシャッタボタン１０が設けられ、シャッタボタン１０を押圧することで被写体の画像データの記録動作が開始される。
【００１２】
デジタルカメラ２の背面を図２に示す。デジタルカメラ２の上面にはファインダ接眼窓１５が設けられている。デジタルカメラ２の背面にはデジタルカメラのモードを、被写体を撮影して画像データを形成するとともに記録メディアに記録する静止画撮影モード、記録メディアに記録された画像データを基に形成されたサムネイル画像を液晶パネル（画像表示手段）１３に表示するリプレイモード、１秒当たり数十フレームの動画を撮影する動画撮影モードのいずれか１つに設定するモード切り替えスイッチ１７と、ズーム等を行なう際に操作される上下操作が可能な操作レバー２０とが備えられている。操作レバー２０の下には、液晶パネル１３に表示されたメニューの選択と実行を行なう選択／実行ボタン２２、メニューの実行をキャンセルするキャンセルボタン２４、液晶パネル１３のＯＮ／ＯＦＦを切り替える表示ボタン２６、液晶パネル１３にスルー画像のみが表示されるスルー画像表示モード（第１の表示モード）と、液晶パネル１３にスルー画像とサムネイル画像とが表示されるマルチ表示モード（第２の表示モード）とを切り替えるための表示モード切り替えボタン（操作手段）２７が設けられている。
【００１３】
図３にデジタルカメラのブロック図を示す。デジタルカメラ２には、モータの駆動を制御するモータコントローラ３０、画像信号の処理を行なうアナログ処理回路３５、デジタルカメラ２全体の動作を制御するＣＰＵ３７、ＳＤＲＡＭ３９、各種信号を入出力するＩ／Ｏ制御回路４０、画質や画像サイズ等を調節する画像処理回路４１、所定の画質に間引処理する圧縮処理回路４３、記録メディア４７に画像データを記録するメディアコントローラ４５、液晶表示器４９の駆動を制御するビデオインターフェース（表示制御手段）５０等が備えられている。
【００１４】
レンズ鏡筒４にはズーミングを行うズーム用モータと焦点調整を行うフォーカス用モータとが組み込まれており、これらのモータはモータコントローラ３０によって駆動が制御されている。撮影レンズ５を通して被写体がＣＣＤイメージセンサ３２上に結像され、ＣＣＤイメージセンサ３２上に結像された被写体像が画像信号に光電変換され、この画像信号がアナログ処理回路３５に入力される。
【００１５】
アナログ処理回路３５は相関二重サンプリング回路と増幅回路とＡ／Ｄ変換回路とが含まれており、相関二重サンプリング回路で画像信号がＣＣＤイメージセンサ３２の各セルごとのＲＧＢアナログ信号に変換される。ＲＧＢアナログ信号は増幅回路で増幅され、Ａ／Ｄ変換回路で画像データにデジタル変換されてＲＧＢのデジタルデータからなる画像データが形成される。この一連の動作はＣＰＵ３７によって制御されている。
【００１６】
静止画撮影モードにおいてシャッタボタン１０が押下されると、Ｉ／Ｏ制御回路４０を介して信号がＣＰＵ３７に入力され、ＣＰＵ３７の命令に応答してアナログ処理回路３５から出力された画像データがＳＤＲＡＭ３９に蓄積される。ＳＤＲＡＭ３９に蓄積された画像データは画像処理回路４１に入力され、ここでガンマ補正、輪郭補正などの各種画像処理が行なわれ、画像処理が行なわれた画像データはＳＤＲＡＭ３９に一時的に記憶される。
【００１７】
ＳＤＲＡＭ３９に蓄積された画像データは圧縮処理回路４３に入力されて、所定の画質モードで圧縮される。圧縮処理された画像データはメディアコントローラ４５に入力されて、デジタルカメラ２に装着された記録メディア４７に記録される。なお、画像データはＪＰＥＧ（ Joint Photographic Experts Group ) の規格に準拠して圧縮され、圧縮された画像データは所定のフォーマット、例えば、ＤＣＦ（ Dsign rule for Camera File system）に則り、ファイル名が付され、画像ファイルとして記録メディア４７に記録される。なお、圧縮処理回路４３は、記録メディア４７に記録された画像データを所定の画質に圧縮処理してサムネイル画像データを形成する機能も有する。
【００１８】
液晶表示器４９はビデオインターフェース５０から入力される画像信号に基づいて液晶パネル１３を駆動させ、液晶パネル１３には画像が表示される。モード切り替えスイッチ１７が再生モードに合わせられると、記録メディア４７に記録された画像データが圧縮処理回路４３で所定の画質に圧縮処理されてビデオインターフェース５０に入力され、ビデオインターフェース５０によって形成された画像信号を受けてサムネイル画像が液晶パネル１３に表示される。モード切り替えスイッチ１７が動画撮影モードに合わせられると、１秒間あたり数十フレームの動画が撮影可能となる。なお、液晶表示器４９には白色ＬＥＤ４８が備えられており、これによって液晶パネル１３は照明される。
【００１９】
被写体の静止画像を取得する静止画撮影モードにモード切り替えスイッチ１７が合わせられると、ＣＣＤイメージセンサ３２から出力される画像信号が処理されて液晶パネル１３にスルー画像が表示される。モード切り替えスイッチ１７が静止画撮影モードに合わせられると、これに応じて撮影モード信号がＣＰＵ３７に入力され、撮影モード信号を受けたＣＰＵ３７の命令により、ＣＣＤイメージセンサ３２から出力される画像信号が逐次処理され、１画面分の画像データが次々に形成される。この１画面分の画像データはＳＤＲＡＭ３９を経由してビデオインターフェース５０に順次入力される。ビデオインターフェース５０に入力された画像データは画像信号に変換されて液晶表示器４９に入力され、液晶パネル１３にはスルー画像が表示される。
【００２０】
表示モード切り替えボタン２７が押されると、液晶パネル１３にスルー画像のみが表示されるスルー画像表示モードから、液晶パネル１３にスルー画像の他に記録メディア４７に記録された画像が所定の画質に圧縮処理されたサムネイル画像が表示されるマルチ表示モードに切り替わる。マルチ表示モードに設定された場合、ＣＰＵ３７の命令により記録メディア４７に記録された画像ファイルのうち、新しい方から３つの画像ファイルのそれぞれに格納された画像データを基にサムネイル画像データが圧縮処理回路４３で形成され、形成されたサムネイル画像データはビデオインターフェース５０に入力される。
【００２１】
ビデオインターフェース５０に入力されたスルー画像用の画像データと３つのサムネイル画像データとは、液晶パネル１３を駆動させるための画像信号に変換されて液晶表示器４９に入力される。液晶表示器４９は画像信号に基づいて液晶パネル１３を駆動させ、液晶パネル１３には被写体の画像が一定の時間間隔で更新されるスルー画像とサムネイル画像とが同時に表示される。なお、さらにもう一度表示モード切り替えボタン２７が押されるとマルチ表示モードからスルー画像表示モードに切り替わる。表示モード切り替えボタン２７の押圧に応じて表示モード切り替え信号がＣＰＵ３７に入力され、表示モード切り替え信号を受けたＣＰＵ３７の命令によってビデオインターフェース５０はスルー画像用の画像データを基に形成された画像信号のみを液晶表示器４９に入力し、液晶パネル１３にはスルー画像のみが表示される。
【００２２】
図４にモード切り替えスイッチ１７が操作されて静止画撮影モードに設定され、かつ表示モード切り替えボタン２７が押圧操作されてマルチ表示モードに設定された場合の液晶パネル１３を観察した平面図を示す。図４（ａ）に示すように、液晶パネル１３には主表示部１３ａ、第１副表示部１３ｂ、第２副表示部１３ｃ、第３副表示部１３ｄとが予め定められており、主表示部１３ａにはスルー画像が表示され、それぞれの副表示部１３ｂ、１３ｃ、１３ｄにはサムネイル画像が表示される。それぞれの副表示部１３ｂ、１３ｃ、１３ｄの大きさは主表示部１３ａよりも小さく、副表示部１３ｂ、１３ｃ、１３ｄは縦方向に並んでいる。マルチ表示モードに切り替えられて３つのサムネイル画像がそれぞれ第１〜第３副表示部１３ｂ〜１３ｄに表示される際、第１副表示部１３ｂには最も新しく記録メディア４７に記録した画像のサムネイル画像が表示され、第２副表示部１３ｃには２番目に新しい画像のサムネイル画像が表示される。第３副表示部１３ｄには３番目に新しい画像のサムネイル画像が表示される。
【００２３】
操作レバー２０が上に操作されると、送り信号がＣＰＵ３７に入力され、送り信号を受けたＣＰＵ３７は、記録メディア４７に記録された画像ファイルのうち、４番目に新しい画像ファイルから画像データを読み出して圧縮処理回路４３に入力する。圧縮処理回路４３では入力された画像データを圧縮処理してサムネイル画像データが形成され、形成されたサムネイル画像データはビデオインターフェース５０で画像信号に変換されて液晶表示器４９に入力される。そして図４（ｂ）に示すように、液晶パネル１３上に表示されているサムネイル画像のうち、第１副表示部１３ｂからサムネイル画像を消去し、代わりに第２副表示部１３ｃに表示されていたサムネイル画像を第１副表示部１３ｂに表示する。第３副表示部１３ｄに表示されていたサムネイル画像も第２副表示部１３ｃに表示され、第３副表示部１３ｄには新しく形成された４番目に新しいサムネイル画像が表示される。サムネイル画像の切り替えは操作レバー２０が上に操作されるごとに行なわれ、操作レバー２０を上に操作するとそのたびに第３副表示位部１３ｄには新しくサムネイル画像が表示される。
【００２４】
第１副表示部１３ｂに一番新しいサムネイル画像が表示された際、操作レバー２０が下に操作された場合には、戻り信号がＣＰＵ３７に入力され、戻り信号を受けたＣＰＵ３７の命令により、記録メディア４７に記録された画像ファイルのうち、最も古い画像ファイルから画像データが読み出されて圧縮処理回路４３に入力される。圧縮処理回路４３では入力された画像データが圧縮されてサムネイル画像データが形成され、サムネイル画像データはビデオインターフェース５０で画像信号に変換されて液晶表示器４９に入力される。そして第３表示部１３ｄに表示されたサムネイル画像が消去され、それまで第２副表示部１３ｃに表示されていたサムネイル画像が第３副表示部１３ｄに表示され、第１副表示部１３ｂに表示されていたサムネイル画像が第２副表示部１３ｃに表示される。第１副表示部１３ｂには新しく形成された最も古い画像のサムネイル画像が表示される。
【００２５】
上記構成の作用について図５のフローチャートを用いて説明する。被写体を撮影するため、モード切り替えスイッチ１７が静止画撮影モードに合わせられ、表示ボタン２６がオンされると、被写体のスルー画像が液晶パネル１３に表示される。表示モード切り替えボタン２７が押されるとスルー画像のみが表示されるスルー画像表示モードから、スルー画像とともにサムネイル画像が表示されるマルチ表示モードに切り替わる。液晶パネル１３には、被写体のスルー画像が主表示部１３ａに表示されるととともに３つのサムネイル画像がそれぞれ第１〜第３副表示部１３ｂ〜１３ｄに表示される。それぞれのサムネイル画像はスルー画像の右横に表示されており、操作レバー２０を上または下に操作することでサムネイル画像は順次切り替わる。ユーザーは、第１〜第３副表示部１３ｂ〜１３ｄに表示されたサムネイル画像を観察することで、過去に取得した画像の内容を把握することができ、第１〜第３副表示部１３ｂ〜１３ｄに表示されたサムネイル画像とスルー画像とを比較することでこれから撮影しようとしている被写体が過去に取得した画像と似ているか否かを確認することができる。
【００２６】
なお、上記の第１実施形態では液晶パネル１３に第１〜第３副表示部１３ｂ〜１３ｄを予め設定し、ここに３つのサムネイル画像を表示したが、液晶パネル１３に表示するサムネイル画像の個数は３つに限らない。例えば、スルー画像の横に２つのサムネイル画像を表示するようにし、サムネイル画像を操作レバー２０で切り替えるようにしてもよい。液晶パネルに表示するサムネイル画像を２つにすることでサムネイル画像のサイズを大きくすることができ、ユーザーはスルー画像との比較をより簡単に行なうことができる。
【００２７】
また、上記の第１実施形態では、静止画撮影モードに設定された際、表示モード切り替えボタン２７が押されることに応じて液晶パネル１３にスルー画像が表示されるスルー画像表示モードと、液晶パネル１３にスルー画像とサムネイル画像とが表示されるマルチ表示モードとが切り替わったが、この２つのモードの他に液晶パネルにサムネイル画像のみを表示するサムネイル画像表示モード（第１の表示モード）を設定してもよい。例えば、マルチ表示モードに設定された後、さらに表示モード切り替えボタンを押圧すると、スルー画像が消えて液晶パネルにサムネイル画像のみが表示されるサムネイル画像表示モードに切り替わる。サムネイル画像は操作レバーの操作に応じて新しく記録メディアから読み出されて液晶パネルに表示される。このように液晶パネルにサムネイル画像のみが表示されるサムネイル画像表示モードを設定することで被写体を撮影する際、過去に取得した画像を確認することができ、よりユーザの意図に沿ってスルー画像、あるいはサムネイル画像を表示することが可能なデジタルカメラを提供することができる。
【００２８】
次に本発明の第２実施形態について説明する。なお、第１実施形態と同じ部分には同じ符号を付して説明を簡略化する。図６の斜視図に示すようにデジタルカメラ２の背面には、スルー画を表示するメイン液晶パネル（スルー画像表示パネル）７０、サムネイル画像を表示する第１、第２、第３サブ液晶パネル（サムネイル画像表示パネル）７１、７２、７３、メイン液晶パネル７０、及び第１、第２第３サブ液晶パネル７１、７２、７３をＯＮ／ＯＦＦ切り替えするための表示ボタン７５、メイン液晶パネル７０と第１〜第３サブ液晶パネル７１〜７３に表示される画像を切り替えるために押圧操作される表示モード切り替えボタン（操作手段）７７とが設けられている。それぞれのサブ液晶パネル７１、７２、７３はメイン液晶パネル７０の右横に配置されており、それぞれのサブ液晶パネル７１、７２、７３の大きさはメイン液晶パネル７０の大きさよりも小さい。
【００２９】
図７に示すように、メイン液晶パネル７０及び第１〜第３サブ液晶パネル７１〜７３の駆動は駆動制御回路（駆動制御手段）８０によって制御されている。モード切り替えスイッチ１７が静止画撮影モードに合わせられ、表示ボタン７５が押下されると、メイン液晶パネル７０にスルー画像が表示される。このとき第１〜第３サブ液晶パネル７１〜７３は駆動制御回路８０によってＯＦＦされている。表示モード切り替えボタン７７が押されると、メイン液晶パネル７０にスルー画像が表示されるスルー画像表示モードから、スルー画像の他に第１〜第３サブ液晶パネル７１〜７３にサムネイル画像が表示されるマルチ表示モードに切り替わり、駆動制御回路８０によって第１〜第３サブ液晶パネル７１〜７３がＯＮされてサムネイル画像が表示される。さらに表示モード切り替えボタン７７が押されると、サムネイル画像のみが表示されるサムネイル画像表示モードに切り替わり、第１〜第３液晶パネル７１〜７３に表示されたサムネイル画像はそのままにメイン液晶パネル７０が駆動制御回路８０によってＯＦＦされる。
【００３０】
マルチ表示モードあるいはサムネイル画像表示モードに設定された場合には、第１〜第３サブ液晶パネル７１〜７３にはそれぞれサムネイル画像が表示される。第１〜第３サブ液晶パネル７１〜７３のうち、第１サブ液晶パネル７１には前回の撮影で取得した画像のサムネイル画像が表示され、第２サブ液晶パネル７２には２番目に新しい画像のサムネイル画像が表示され、第３サブ液晶パネル７３には３番目に新しい画像のサムネイル画像が表示される。第１〜第３サブ液晶パネル７１〜７３に表示されるサムネイル画像は操作レバー２０を上下操作することで切り替えることができ、操作レバー２０を上に操作した場合には、第１サブ液晶パネル７１に表示されていたサムネイル画像が消去されて代わりに第２サブ液晶パネル７２に表示されていたサムネイル画像が表示され、第２サブ液晶パネル７２には第３サブ液晶パネル７３に表示されていたサムネイル画像が表示され、第３サブ液晶パネル７３には４番目に新しい画像のサムネイル画像が表示される。
【００３１】
操作レバー２０を下に操作した場合には、操作レバー２０を上に操作した場合とは逆に、第３サブ液晶パネル７３には第２サブ液晶パネル７２に表示されていたサムネイル画像が、第２サブ液晶パネル７２には第１サブ液晶パネル７１に表示されていたサムネイル画像が表示され、第１サブ液晶パネル７１には最も古い画像のサムネイル画像が表示される。操作レバー２０を押すごとにサブ液晶パネル７１〜７３に表示されるサムネイル画像は切り替わり、これにより、液晶パネル１３には記録メディア４７に記録した画像のサムネイル画像が表示され、ユーザーは記録メディア４７に記録された画像の内容を把握することができる。このようにスルー画像と、サムネイル画像とを別々の液晶パネルに表示することで、１枚の液晶パネルにスルー画像とサムネイル画像とを表示する場合に比べて、個々の液晶パネルのサイズを小さくすることができ、これによってデジタルカメラの製造コストの低減が期待できる。また、スルー画像を表示するための液晶パネルとサムネイル画像を表示するための液晶パネルとを別々にすることで、サムネイル画像表示モードに設定された場合にメイン液晶パネル７０の駆動がＯＦＦし、スルー画像表示モードに設定された場合には第１〜第３サブ液晶パネル７１〜７３の駆動をＯＦＦすることができ、これによって消費電力の低減を可能にしつつ利便性の高いデジタルカメラを提供することができる。
【００３２】
なお、上記の第２実施形態で示したデジタルカメラは、１つのメイン液晶パネル７０と３つのサブ液晶パネル７１〜７３とを備えたが、サブ液晶パネルの個数はこれに限らない。例えば、サブ液晶パネルの個数を２つにするとともにそれぞれのサブ液晶パネルのサイズを大きくすることで、サムネイル画像とスルー画像とをより容易に比較することができるデジタルカメラの提供が期待できる。
【００３３】
また、上記の第２実施形態では第１〜第３サブ液晶パネル７１〜７３にサムネイル画像を表示したが、サブ液晶パネルにはサムネイル画像以外の内容も表示してもよい。例えば、Ｅｘｉｆ（ Exchangeable Image File Format ）形式の画像ファイルから撮影した日時、焦点距離、ホワイトバランスの設定値等のＥｘｉｆ情報を読み出してサブ液晶パネルに表示したり、ＧＰＳ（Global Positioning System ）を利用して取得した緯度、経度、高度等の位置データを基に地図画像をメイン液晶パネルに表示することでより利便性の高いデジタルカメラを提供することができる。
【００３４】
また、上記の第１、第２実施形態では被写体を撮影する静止画撮影モードと、再生モードとを備えたデジタルカメラを例示したが、本発明はこれに限らず、例えばカメラ付きの携帯電話に用いてもよい。カメラ付き携帯電話には液晶パネルが備えられており、カメラ付きの携帯電話を被写体を撮影する撮影モードに設定した際、液晶パネルにスルー画像が表示されるスルー画像表示モードと、スルー画像とサムネイル画像とが表示されるマルチ表示モードとを切り替えるための操作手段と、操作手段の操作に応じて液晶パネルの駆動を制御する表示制御手段とを設けることにより、より自在にスルー画像とサムネイル画像とを表示することができるカメラ付き携帯電話の提供ができ、さらにスルー画像とサムネイル画像とが液晶パネルに表示された場合にはスルー画像とサムネイル画像とを即座に比較することができ、利便性の高いカメラ付きの携帯電話を提供することができる。  
【図面の簡単な説明】
【００３５】
【図１】本発明のデジタルカメラを前から観察した斜視図である。
【図２】デジタルカメラを後から観察した斜視図である。
【図３】デジタルカメラの電気的な構成を概略的に示したブロック図である。
【図４】スルー画像とサムネイル画像とが並べて表示された液晶パネルの平面図である。
【図５】本発明のデジタルカメラの作用を説明するフローチャートである。
【図６】デジタルカメラの後面に１つのメイン液晶パネルと３つのサブ液晶パネルを設けたデジタルカメラの平面図である。
【図７】メイン液晶パネルと３つのサブ液晶パネルとを設けたデジタルカメラのブロック図である。
【符号の説明】
【００３６】
２  デジタルカメラ（撮影装置）
１３  液晶パネル（画像表示手段）
１７  モード切り替えスイッチ
２０  操作レバー
２７  表示モード切り替えボタン（操作手段）
３７  ＣＰＵ
４５  メディアコントローラ
４７  記録メディア
４３  圧縮処理回路
５０  ビデオインターフェース（表示制御手段）
７０  メイン液晶パネル（スルー画像表示パネル）
７１〜７３  第１〜第３サブ液晶パネル（サムネイル画像表示パネル）
８０  駆動制御回路（駆動制御手段）
【図１】
2005277631.tif 000003
【図２】
2005277631.tif 000004
【図３】
2005277631.tif 000005
【図４】
2005277631.tif 000006
【図５】
2005277631.tif 000007
【図６】
2005277631.tif 000008
【図７】
2005277631.tif 000009